(57)【要約】【課題】位相比較器のオフセットに拘わらず、ＶＣＯのキャリア周波数を安定させてバズ音の発生を防止する。【解決手段】  キャリア周波数の発振出力を発生する電圧制御発振器１５と、前記入力された中間周波信号と前記電圧制御発振器の出力とが入力されて、２入力の位相差を検出して出力する位相比較器１６と、オフセット検出モード時において前記中間周波信号の前記位相比較器への供給を停止させるスイッチ１７と、前記オフセット検出モード時において前記位相比較器の出力を検出するオフセット検出部１９と、通常モード時において前記位相比較器の出力に前記オフセット検出部の検出結果に基づく出力を加えて、前記位相比較器の出力に含まれるオフセットを相殺するオフセット除去部２０，２１とを具備したことを特徴とする。【選択図】図１
2009212827.tif 000002
【特許請求の範囲】
【請求項１】
入力された中間周波信号のキャリア周波数の発振出力を発生する電圧制御発振器と、
前記入力された中間周波信号と前記電圧制御発振器の出力とが入力されて、２入力の位相差を検出して出力する位相比較器と、
前記位相比較器の出力をフィルタリングして前記電圧制御発振器の制御電圧として供給するループフィルタと、
オフセット検出モード時において前記中間周波信号の前記位相比較器への供給を停止させるスイッチと、
前記オフセット検出モード時において前記位相比較器の出力を検出するオフセット検出部と、
通常モード時において前記位相比較器の出力に前記オフセット検出部の検出結果に基づく出力を加えて、前記位相比較器の出力に含まれるオフセットを相殺するオフセット除去部と
を具備したことを特徴とする中間周波信号復調回路。
【請求項２】
前記オフセット除去部は、前記オフセットに相当する電流を前記位相比較器の出力端に供給することを特徴とする請求項１に記載の中間周波信号復調回路。
【請求項３】
前記スイッチ、オフセット検出部及びオフセット除去部は、バスを介してＣＰＵから制御信号が与えられて、前記オフセット検出モード及び通常モードの動作が規定されることを特徴とする請求項１又は２に記載の中間周波信号復調回路。
【請求項４】
前記オフセット除去部は、
前記オフセット検出部の検出結果をデジタル信号に変換するＡ／Ｄ変換器と、
前記Ａ／Ｄ変換器の出力を記憶する記憶部と、
前記記憶部の出力をアナログ信号に変換するＤ／Ａ変換器と、
前記Ｄ／Ａ変換器の出力に基づく電流を発生させる電流出力回路と
を具備したことを特徴とする請求項１乃至３のいずれか１つに記載の中間周波信号復調回路。
【請求項５】
入力された中間周波信号のキャリア周波数の発振出力を発生する電圧制御発振器と、
前記入力された中間周波信号と前記電圧制御発振器の出力とが入力されて、２入力の位相差を検出して出力する位相比較器と、
前記位相比較器の出力をフィルタリングして前記電圧制御発振器の制御電圧として供給するループフィルタと、
オフセット検出モード時において前記中間周波信号の前記位相比較器への供給を停止させるスイッチと、
前記オフセット検出モード時において前記位相比較器の出力を検出するオフセット検出部と、
通常モード時において前記位相比較器の出力に前記オフセット検出部の検出結果に基づく出力を加えて、前記位相比較器の出力に含まれるオフセットを相殺するオフセット除去部と、
入力された音声中間周波信号と前記電圧制御発振器の出力とを混合して前記音声中間周波信号をビートダウンさせる混合器と
を具備したことを特徴とする音声中間周波信号復調回路。
【発明の詳細な説明】
【技術分野】
【０００１】
本発明は、アナログテレビション放送信号から中間周波信号を復調する中間周波信号復調回路及び音声中間周波信号復調回路に関する。
【背景技術】
【０００２】
従来、アナログテレビジョン放送の受信機には、映像検波性能が良好なＰＬＬ同期検波方式が採用されている。復調器には、受信されたアナログテレビジョン放送の高周波（ＲＦ）信号から得られた中間周波（ＩＦ）信号が入力され、復調器は、中間周波数のキャリアを用いた同期検波によって、ベースバンドの映像信号を得る。中間周波信号は正側と負側とに対称なエンベロープを有しており、位相が１８０度異なる２つのキャリアを用いることで、位相が１８０度異なる２つのベースバンド映像信号が同期検波出力として得られる。
【０００３】
このようなＰＬＬ同期検波回路については、特許文献１に開示されたもの等がある。
【０００４】
中間周波数のキャリアは、ＶＣＯ（電圧制御発振器）の発振周波数をＰＬＬ回路によって制御することによって得られる。ＰＬＬ回路を構成する位相比較器に中間周波数の映像信号とＶＣＯの出力とを与え、映像信号とＶＣＯの発振出力との位相差に基づく出力を位相比較器からローパスフィルタを介してＶＣＯに与える。これにより、ＶＣＯから中間周波数の発振出力を得るのである。
【０００５】
また、ＩＦ信号には映像信号だけでなく、音声信号も含まれている。ＮＴＳＣ方式、ＰＡＬ方式等においては、映像信号と音声信号とは、所定周波数だけずれたキャリアによって多重伝送される。入力音声信号を、中間周波数のキャリアを発生するＶＣＯの出力と乗算してビートダウンすることで、ＦＭ変調された音声信号を取り出すことができる。更に、ビートダウンされた音声信号をＦＭ検波することによって、音声信号を得ることができる。
【０００６】
映像信号が負変調である場合には、黒い画像部分、即ち映像信号の変調度が低い部分では、キャリア振幅が大きい。輝度が高い白い画像部分、即ち映像信号の変調度が高い部分では、キャリア振幅は小さい。このようにキャリア振幅が小さい映像部分では、位相比較器を構成する乗算器の検波効率が低下して、位相誤差が生じやすい。
【０００７】
このような位相誤差は、位相比較器のオフセットの影響を受ける。位相比較器は、２入力の位相差が９０度となるような出力を発生する。ところが、位相比較器を構成する素子のばらつきによって、位相比較器にオフセットが生じている場合には、位相比較器は位相差が９０度からずれたときにＰＬＬループが安定するような出力を発生する。
【０００８】
即ち、位相比較器に位相差がある場合には、ＶＣＯによって発生するキャリア周波数にずれが生じ、ＦＭ検波時に、キャリア周波数のずれによるバズ音が発生してしまう。特に、位相誤差は、キャリア振幅が小さい高輝度部分において生じやすく、高輝度部分と低輝度部分との境界においてバズ音が目立ってしまう。例えば、低輝度部分に高輝度のテロップを表示させる場合等においては、バズ音が目立ってしまう。このようなバズ音は、オフセットのばらつきに応じてテレビジョンセット毎に異なる発生の仕方となる。
【特許文献１】特開平９−１９１４３３号公報
【発明の開示】
【発明が解決しようとする課題】
【０００９】
本発明は、素子のばらつきに拘わらず、安定した周波数のキャリアを発生させて、バズ音の発生を防止することができる中間周波信号復調回路及び音声中間周波信号復調回路を提供することを目的とする。
【課題を解決するための手段】
【００１０】
本発明の一態様の中間周波信号復調回路は、入力された中間周波信号のキャリア周波数の発振出力を発生する電圧制御発振器と、前記入力された中間周波信号と前記電圧制御発振器の出力とが入力されて、２入力の位相差を検出して出力する位相比較器と、前記位相比較器の出力をフィルタリングして前記電圧制御発振器の制御電圧として供給するループフィルタと、オフセット検出モード時において前記中間周波信号の前記位相比較器への供給を停止させるスイッチと、前記オフセット検出モード時において前記位相比較器の出力を検出するオフセット検出部と、通常モード時において前記位相比較器の出力に前記オフセット検出部の検出結果に基づく出力を加えて、前記位相比較器の出力に含まれるオフセットを相殺するオフセット除去部とを具備したものであり、
本発明の一態様の音声中間周波信号復調回路は、入力された中間周波信号のキャリア周波数の発振出力を発生する電圧制御発振器と、前記入力された中間周波信号と前記電圧制御発振器の出力とが入力されて、２入力の位相差を検出して出力する位相比較器と、前記位相比較器の出力をフィルタリングして前記電圧制御発振器の制御電圧として供給するループフィルタと、オフセット検出モード時において前記中間周波信号の前記位相比較器への供給を停止させるスイッチと、前記オフセット検出モード時において前記位相比較器の出力を検出するオフセット検出部と、通常モード時において前記位相比較器の出力に前記オフセット検出部の検出結果に基づく出力を加えて、前記位相比較器の出力に含まれるオフセットを相殺するオフセット除去部と、入力された音声中間周波信号と前記電圧制御発振器の出力とを混合して前記音声中間周波信号をビートダウンさせる混合器とを具備したものである。
【発明の効果】
【００１１】
本発明によれば、素子のばらつきに拘わらず、安定した周波数のキャリアを発生させて、バズ音の発生を防止することができるという効果を有する。
【発明を実施するための最良の形態】
【００１２】
以下、図面を参照して本発明の実施の形態について詳細に説明する。図１は本発明の第１の実施の形態に係る中間周波信号復調回路を示す回路図である。
【００１３】
入力端子ｉｎ１にはＩＦ信号が入力され、入力端子ｉｎ２には音声ＩＦ信号が入力される。これらのＩＦ信号及び音声ＩＦ信号は、図示しないアンテナに誘起したアナログテレビジョン高周波信号（ＲＦ信号）から、チューナが所定チャンネルを選局することによって得られる。なお、ＰＡＬ方式では、ＩＦ信号のキャリア周波数は３８．９ＭＨｚであり、音声ＩＦ信号のキャリア周波数は３３．４ＭＨｚである。
【００１４】
入力端子ｉｎ１を介して入力されたＩＦ信号は増幅器１１を介して混合器１２に与えられる。混合器１２は後述するＶＣＯ１５からキャリア周波数の信号が与えられて同期検波を行い、ベースバンドの映像信号を出力する。混合器１２の出力は増幅器１３に与えられ、増幅器１３はベースバンドの映像信号を増幅して映像検波出力として出力する。
【００１５】
一方、入力端子ｉｎ２を介して入力された音声ＩＦ信号は混合器１４に与えられる。混合器１４はＶＣＯ１５からキャリア周波数の信号が与えられて音声ＩＦ信号をビートダウンさせ、音声ＩＦ信号を出力する。なお、混合器１４からの音声ＩＦ信号は、ＰＡＬ方式の場合には、５．５ＭＨｚである。
【００１６】
ＶＣＯ１５はＩＦ信号のキャリア周波数で発振する。ＶＣＯ１５は、素子ばらつきによって変動しようとする発振周波数が、ＰＬＬ回路によって制御されて、キャリア周波数で安定的に発振する。ＰＬＬ回路は、ＶＣＯ１５からの発振出力とＩＦ信号との位相差を求める位相比較器１６と、コンデンサＣ１，Ｃ２及び抵抗Ｒによって構成されて位相比較器１６の出力（位相差電流）に基づく直流電圧をＶＣＯ１５の制御電圧としてフィードバックするローパスフィルタ１８によって構成される。ＶＣＯ１５は位相比較器１６の位相比較結果に基づく直流電圧によって、発振出力が制御される。
【００１７】
従って、ＰＬＬループの安定動作時には、位相比較器１６からはＶＣＯ１５の素子ばらつきに応じた位相差電流が出力されることになる。しかし、位相比較器１６にオフセットが発生している場合には、このオフセット分だけ、位相差電流に増減が生じる。
【００１８】
そこで、本実施の形態においては、オフセット検出モード時に、位相比較器１６へのＩＦ信号の供給を停止させて、オフセットを検出するようになっている。即ち、増幅器１１からのＩＦ信号をスイッチ１７を介して位相比較器１６に供給する。スイッチ１７は通常モード時にはオンであり、オフセット検出モード時にはオフである。
【００１９】
スイッチ１７がオフで、位相比較器１６にＶＣＯ１５の発振出力のみが入力される場合には、位相比較器１６からの位相差電流はオフセットが無ければ０であり、オフセットがあればオフセットに基づく電流値となる。オフセット検出部１９はオフセット検出モード時における位相差電流（以下、オフセット位相差電流という）を検出する。オフセット検出部１９は検出したオフセット位相差電流をホールド部２０に与える。オフセット除去部を構成するホールド部２０はオフセット位相差電流を保持する。
【００２０】
ホールド部２０は、通常モード時において、保持したオフセット位相差電流に基づいて電流源２１を制御する。オフセット除去部としての電流源２１は、ホールド部２０に制御されてオフセット位相差電流を打ち消す電流を発生し、発生した電流を、通常モード時に位相比較器１６の出力に加えてＶＣＯ１５に供給するようになっている。このように、電流源２１は、位相比較器１６の出力にオフセット位相差電流を打ち消す電流を加える。これにより、通常モード時においては、位相比較器１６のオフセットがキャンセルされて、位相比較器１６の出力がＶＣＯ１５の素子ばらつきに応じた位相差電流となるように、ＰＬＬループが動作する。
【００２１】
制御部２２は、装置全体を制御すると共に、オフセット検出モード及び通常モードを設定し、オフセット検出モード時にはスイッチ１７をオフにし、通常モード時にはスイッチ１７をオンにする。
【００２２】
図２は図１中の位相比較器１６の具体的な構成の一例を示す回路図である。
【００２３】
図２において、位相比較器１６の入力端子Ｉｃ１，Ｉｃ２には、ＶＣＯ１５の出力が入力される。また、入力端子Ｉｓ１には正極性のＩＦ信号が入力され、入力端子Ｉｓ２には逆極性のＩＦ信号が入力される。スイッチ１７は入力端子Ｉｓ１，Ｉｓ２を介して入力されるＩＦ信号を取り込むか、又は定電圧を取り込む。スイッチ１７の出力は差動対をなすトランジスタＱ１，Ｑ２のベースに供給される。トランジスタＱ１，Ｑ２のエミッタは、抵抗Ｒ１１，Ｒ１２を介して相互に接続され、抵抗Ｒ１１，Ｒ１２の接続点は電流源ＩＱ１に接続される。
【００２４】
差動対をなすトランジスタＱ３，Ｑ４のエミッタ同士は共通接続されて、トランジスタＱ１のコレクタに接続される。また、差動対をなすトランジスタＱ５，Ｑ６のエミッタ同士は共通接続されて、トランジスタＱ２のコレクタに接続される。トランジスタＱ３，Ｑ６のベースには、入力端子Ｉｃ１からＶＣＯ１５の正相出力が供給され、トランジスタＱ４，Ｑ５のベースには、入力端子Ｉｃ２からＶＣＯ１５の逆相出力が供給される。トランジスタＱ３，Ｑ５のコレクタ同士は共通接続され、トランジスタＱ８及び抵抗Ｒ１３を介して電源ラインに接続される。また、トランジスタＱ４，Ｑ６のコレクタ同士は共通接続され、トランジスタＱ９及び抵抗Ｒ１４を介して電源ラインに接続される。
【００２５】
トランジスタＱ１のベースに供給される正極性のＩＦ信号とトランジスタＱ３，Ｑ５のベースに供給される正相出力との乗算値に対応した電流が抵抗Ｒ１３に流れ、トランジスタＱ２のベースに供給される負極性のＩＦ信号とトランジスタＱ４，Ｑ６のベースに供給される逆相出力との乗算値に対応した電流が抵抗Ｒ１４に流れる。抵抗Ｒ１１，Ｒ１２の抵抗値が同一で、抵抗Ｒ１３，Ｒ１４の抵抗値も同一ならば、ＰＬＬループの安定動作時において、抵抗Ｒ１３，Ｒ１４には、同一振幅で逆極性の電流が流れる。
【００２６】
これらの電流によって抵抗Ｒ１３，Ｒ１４に生じる電圧降下に応じた電圧が、夫々トランジスタＱ１０，Ｑ１１のベースに印加される。トランジスタＱ１０，Ｑ１１のコレクタは夫々抵抗Ｒ１５，Ｒ１６を介して電源ラインに接続され、エミッタは抵抗Ｒ１７，Ｒ１８及びトランジスタＱ１２，Ｑ１３によって構成されるカレントミラー回路に接続される。こうして、トランジスタＱ１１のエミッタには、ＶＣＯ１５の発振出力とＩＦ信号との位相差に基づく位相差電流が流れる。この位相差電流は、ローパスフィルタ１８によって直流電圧に変換されてＶＣＯ１５に制御電圧として供給される。
【００２７】
オフセット検出モード時には、スイッチ１７が定電圧をトランジスタＱ１，Ｑ２のベースに供給する。この場合には、トランジスタＱ３〜Ｑ６のベースには、フリーラン状態のＶＣＯ１５の発振出力が与えられる。位相比較器１６にオフセットが無ければ、トランジスタＱ１１のエミッタに流れる位相差電流は０となり、オフセットが有れば、オフセットに基づく電流値となる。
【００２８】
次に、このように構成された実施の形態の動作について図３を参照して説明する。図３は第１の実施の形態の動作を説明するためのタイミングチャートである。
【００２９】
入力端子ｉｎ１にはテレビジョン中間周波信号（ＩＦ信号）が入力され、入力端子ｉｎ２には音声ＩＦ信号が入力される。ＩＦ信号は増幅器１１によって増幅された後、スイッチ１７を介して位相比較器１６に与えられる。
【００３０】
制御部２２は図３（ａ）〜（ｄ）の各種信号を発生する。いま、電源投入時又はチャンネル切換え時であるものとする。この場合には、制御部２２はスタートパルスの後、オフセット検出モードを設定するためのオフセット検出信号を発生する。オフセット検出モードが開始されると、制御部２２はスイッチ制御信号をローレベル（以下、Ｌレベルという）からハイレベル（以下、Ｈレベルという）に変化させる。スイッチ制御信号はスイッチ１７に供給され、スイッチ１７はＨレベルのスイッチ制御信号によってオフとなる。
【００３１】
これにより、位相比較器１６には自走しているＶＣＯ１５の出力のみが供給される。即ち、オフセット検出モード時には、位相比較器１６からの位相差電流は、オフセット分に相当するオフセット位相差電流となる。オフセット位相差電流はオフセット検出部１９において検出される。オフセット検出部１９は検出したオフセット位相差電流をホールド部２０に与える。ホールド部２０はホールドタイミング信号のＨレベル期間になると、オフセット検出部１９の検出結果をホールドする。
【００３２】
オフセット検出モードが終了すると、通常モードに移行する。制御部２２は、スイッチ制御信号をＬレベルにして、スイッチ１７に供給する。これにより、スイッチ１７は、増幅器１１からのＩＦ信号を位相比較器１６に与える。位相比較器１６は、入力ＩＦ信号とＶＣＯ１５の出力との位相差に基づく位相差電流を出力する。この位相差電流には、ＶＣＯ１５の素子ばらつきに基づく位相差電流分と、オフセットによる電流分とが含まれる。
【００３３】
また、制御部２２は、ホールド部２０に保持されている値によって電流源２１を制御して、オフセット位相差電流を打ち消す電流を発生させる。電流源２１からの電流は、位相比較器１６の出力に加算される。これにより、オフセット補償期間において、位相比較器１６からローパスフィルタ１８に供給される位相差電流からオフセット分が相殺される。ローパスフィルタ１８は位相差電流に基づく直流電圧をＶＣＯ１５に制御電圧として供給する。
【００３４】
この制御電圧はオフセット分が除去されており、ＶＣＯ１５は位相比較器１６の素子ばらつきに拘わらず、キャリア周波数の発振出力を安定的に出力する。ＶＣＯ１５からのキャリアは、混合器１２，１４に供給される。混合器１２はＩＦ信号とキャリアとを混合して同期検波を行って、映像信号を出力する。また、混合器１４は音声ＩＦ信号とキャリアとを混合してビートダウンを行って、音声ＩＦ信号を出力する。
【００３５】
この音声ＩＦ信号を図示しない音声復調回路に与えることで、ＦＭ復調された音声信号が得られる。
【００３６】
このように本実施の形態においては、オフセット検出モードにおいて、ＰＬＬ回路を構成する位相比較器の一方の入力を無入力とし、この場合の位相比較器の出力によってオフセット分を検出する。検出結果に基づく電流によって、通常モード期間に位相比較器の出力の電流を補償することで、位相比較器のオフセットの影響によりＶＣＯからのキャリア周波数にずれが生じることを防止する。これにより、音声にバズが発生することを抑制することができる。また、キャリア周波数の変動がテレビジョンセット毎に異なることがないので、テレビジョンセット毎の表示の均一性を確保することができる。
【００３７】
図４は本発明の第２の実施の形態を示す回路図である。図４において図１と同一の構成要素には同一符号を付して説明を省略する。本実施の形態はオフセット検出をデジタル回路によって実現した例である。
【００３８】
本実施の形態は図１のオフセット検出部１９、ホールド部２０及び電流源２１に代えて、Ａ／Ｄ変換器３１，レジスト部３２及びＤ／Ａ変換器３３を採用した点が第１の実施の形態と異なる。Ａ／Ｄ変換器３１は、オフセット検出モード時において、位相比較器１６のオフセット位相差電流をデジタル信号に変換してレジスト部３２に出力する。レジスト部３２は保持したオフセット位相差電流を、通常モード時にＤ／Ａ変換器３３に出力する。Ｄ／Ａ変換器３３は、位相比較器１６のオフセット位相差電流を打ち消すように、位相比較器１６に逆相でオフセット位相差電流を加える。例えば、位相比較器１６が図２に示す構成の場合には、Ｄ／Ａ変換器３３は、位相比較器１６の出力にオフセット位相差電流を与える。
【００３９】
なお、装置の各部をデジタル回路で構成する場合には、制御部２２をＣＰＵによって構成することができる。この場合には、制御部２２から各部、例えばスイッチ１７及びホールド部２０等への制御信号は、バスを介して行われることになる。
【００４０】
このような構成によれば、位相比較器１６の位相差電流からオフセット分が相殺されて、ＰＬＬ回路の安定動作時においては、位相比較器１６からはＶＣＯ１５の素子ばらつきに応じた位相差電流が出力される。こうして本実施の形態においても、ＶＣＯ１５から安定したキャリア周波数の発振出力を得ることができ、バズ音の発生を防止することができる。
【００４１】
図５は本発明の第３の実施の形態を示す回路図である。図５において図１と同一の構成要素には同一符号を付して説明を省略する。本実施の形態はオフセット検出をアナログ回路によって実現した例である。
【００４２】
本実施の形態は図１のオフセット検出部１９を抵抗Ｒ２１及びスイッチｓｗ１によって構成し、ホールド部２０を加算器４１、スイッチｓｗ２及びコンデンサＣ２１によって構成し、電流源２１を抵抗Ｒ２２，Ｒ２３、トランジスタＱ２１〜Ｑ２４、スイッチｓｗ３及び電流源ＩＱ２の差動回路によって構成した点が第１の実施の形態と異なる。
【００４３】
位相比較器１６の出力端は、抵抗Ｒ２１及びスイッチｓｗ１を介して基準電位点に接続されており、位相比較器１６の電流出力は、スイッチｓｗ１のオン時に抵抗Ｒ２１によって検出される。スイッチｓｗ１はオフセット検出モード時にオンであり、通常モード時にオフである。抵抗Ｒ２１によって検出されたオフセット位相差電流は、加算器４１及びスイッチｓｗ２を介してコンデンサＣ２１に供給される。スイッチｓｗ２のオン時には、位相差電流に基づく電圧がコンデンサＣ２１に印加されて、コンデンサＣ２１が充電される。
【００４４】
コンデンサＣ２１の正極性端子は増幅器４２を介してトランジスタＱ２２のベースに接続される。トランジスタＱ２２と差動対をなすトランジスタＱ２１のベースは基準電位点に接続される。トランジスタＱ２１，Ｑ２２のエミッタは共通接続され、スイッチｓｗ３を介して電流源ＩＱ２に接続される。トランジスタＱ２１，Ｑ２２のコレクタは、抵抗Ｒ２２，Ｒ２３及びトランジスタＱ２３，Ｑ２４によって構成されるカレントミラー回路に接続される。
【００４５】
トランジスタＱ２２のコレクタは位相比較器１６の出力端に接続されている。スイッチｓｗ３は、オフセット検出モード時にはオフであり、通常モード時にはオンである。スイッチｓｗ３のオン時には、トランジスタＱ２２のコレクタから、オフセット位相差電流の逆位相で電流が出力されて、位相比較器１６の出力からオフセット位相差電流分が相殺される。なお、スイッチｓｗ１〜ｓｗ３は、制御部２２によって、オン，オフ制御される。
【００４６】
次に、このように構成された実施の形態の動作について図６を参照して説明する。図６は第３の実施の形態の動作を説明するためのタイミングチャートである。
【００４７】
オフセット検出モードになると、制御部２２は、スイッチ１７をオフにすると共に、図６（ａ）〜（ｃ）に示すように、スイッチｓｗ１，ｓｗ２をオンにする。これにより、位相比較器１６の出力はオフセット位相差電流となる。このオフセット位相差電流は抵抗Ｒ２１及びスイッチｓｗ１を介して基準電位点に流れ、抵抗Ｒ２１によってオフセット位相差電流が検出される。オフセット検出期間には、スイッチｓｗ２がオンであり、オフセット位相差電流に基づく電圧が加算器４１及びスイッチｓｗ２を介してコンデンサＣ２１に供給される。スイッチｓｗ２がオフになると、コンデンサＣ２１に蓄積された電圧は維持される（ホールド期間）。
【００４８】
オフセット検出モード期間が終了して通常モードになると、スイッチｓｗ３がオンとなり、トランジスタＱ２２のコレクタには、コンデンサＣ２１に保持された電圧に基づく電流が流れる。即ち、通常モード時には、オフセット検出モード期間において検出されたオフセット位相差電流を打ち消す電流がトランジスタＱ２２のコレクタから位相比較器１６の出力端に流れる。こうして、ＶＣＯ１５には位相比較器１６のオフセットの影響を受けていない位相差電流が供給される。これにより、ＶＣＯ１５から安定したキャリア周波数の発振出力を得ることができ、バズ音の発生を防止することができる。
【００４９】
このように本実施の形態においても、第１の実施の形態と同様の効果を得ることができる。
【図面の簡単な説明】
【００５０】
【図１】本発明の第１の実施の形態に係る中間周波信号復調回路を示す回路図。
【図２】図１中の位相比較器１６の具体的な構成の一例を示す回路図。
【図３】第１の実施の形態の動作を説明するためのタイミングチャート。
【図４】本発明の第２の実施の形態を示す回路図。
【図５】本発明の第３の実施の形態を示す回路図。
【図６】第３の実施の形態の動作を説明するためのタイミングチャート。
【符号の説明】
【００５１】
１２，１４…混合器、１５…ＶＣＯ、１６…位相比較器、１７…スイッチ、１８…ローパスフィルタ、１９…オフセット検出部、２０…ホールド部、２１…電流源、２２…制御部、Ｒ…抵抗、Ｃ１，Ｃ２…コンデンサ。
【図１】
2009212827.tif 000003
【図２】
2009212827.tif 000004
【図３】
2009212827.tif 000005
【図４】
2009212827.tif 000006
【図５】
2009212827.tif 000007
【図６】
2009212827.tif 000008